(57)【要約】【課題】  電話を切ろうとしていることを正確に検出しながら、電話を切ろうとしている際に相手が話を続けていることを正確に知らせつつ、通話路を切断しようとした時点で通話路を切断できる。【解決手段】  ハンドセット１と置き台１６との距離を検出する距離センサ１４とハンドセット１が置き台１６に置かれたことを検出するオンフック検出部１５とを設け、距離センサ１４が検出した距離Ｄが所定の距離ｄ以下になった場合に、ハンドセット１に設けたスピーカ４が出力している音声の音量を上げて、オンフック検出装置１５がオンフックを検出した時点で通話路を切断している。これにより、オンフックの操作をハンドセット１による耳への接触の有無により検出しなくなるとともに、使用者が電話を切ろうとしている際に、相手が話を続けていると、相手の声が大音量で出力される。【選択図】        図３
2012075051.tif 000002
【特許請求の範囲】
【請求項１】
相手の電話装置との間で通話路が形成された場合に、使用者の声を入力するマイクおよび前記相手の電話装置から入力した音声を出力するスピーカを有するハンドセットと、
前記通話路を切断する際に前記ハンドセットが置かれる置き台を有する本体と、
前記ハンドセットと前記置き台との距離を検出する距離センサと、
前記ハンドセットが前記置き台に置かれたことを検出するオンフック検出装置と、
前記距離センサによって検出された距離が所定の距離以下となった場合に、前記スピーカから出力される前記相手の電話装置から入力した音声の音量を上げるようにし、前記ハンドセットが前記置き台に置かれたことを前記オンフック検出装置にて検出した場合に、前記通話路を切断させる制御装置と、
を備えたことを特徴とする電話装置。
【請求項２】
前記本体は本体用スピーカを備え、
前記制御装置は、前記距離センサによって検出された距離が所定の距離以下となった場合に、前記本体用スピーカから前記相手の電話装置から入力した音声を出力させることを特徴とする請求項１に記載の電話装置。
【発明の詳細な説明】
【技術分野】
【０００１】
本発明は、ハンドセットを所定の場所に置いたり所定の場所から取り上げたりすることにより通話を切断したり接続したりする電話装置に関する。
【背景技術】
【０００２】
従来、電話装置では、ハンドセットを置き台などの所定の場所に置くことで、置き台に設けられているフックスイッチがハンドセットの重みにより押されてオンとなる（換言すると、オンフックの状態になる）。他の電話装置との間で通話路が形成されている状態でフックスイッチが押されると、電話装置は他の電話装置との間で形成されていた通話路を切断する。また、ハンドセットを置き台から取り上げることで、ハンドセットの重みにより押されていたフックスイッチが元の状態に戻ってオフとなる（換言すると、オフフックの状態になる）。他の電話装置から呼び出しが行われている状態でフックスイッチが元の状態に戻ると、電話装置は他の電話装置との間で通話路を形成する。
【０００３】
ところで、このような電話装置では、電話装置の使用者が相手との会話が終了したと判断してハンドセットを置き台に置こうとした際に、相手が会話を続けている場合がある。しかしながら、使用者がハンドセットを置き台に置こうとした場合に、ハンドセットのスピーカが使用者の耳から離れてしまうので、使用者は相手の声が聴こえずにそのまま電話を切ってしまうことがあった。
【０００４】
このような問題を解決するための技術として、使用者が電話を切ろうとしている場合に、相手が話を続けているときには使用者に対して報知を行う技術が知られている（例えば、特許文献１、２など）。特許文献１に記載の言い忘れ防止機能付電話装置は、相手の音声を検出する通話レベル検出装置と、自装置がオンフック操作中であることを検出するハンドセットタッチセンサと、相手の音声を検出したことをランプや警報音、画面表示、振動を用いて使用者に知らせる警告表示器とを備えている。そして、ハンドセットタッチセンサがオンフック操作中であることを検出した場合に、通話レベル検出装置が相手の音声を検出したときに、警告表示器を動作させるようにしている。これにより、使用者が電話を切ろうとしている場合に、相手が話しているときには、そのことを使用者に知らせることができる。このことから、警告表示器による報知を把握した使用者がオンフック操作を中断すれば、相手は使用者に用件を伝えることができる。ここで、特許文献１によるオンフック操作は、使用者が耳に当てていたハンドセットを耳から離すことで検出される。
【０００５】
ところで、通話レベル検出装置によって検出される音声には、相手の声だけではなく、相手の声以外の音（例えば、相手の電話装置の周囲の音など）も含まれている。そのため、この従来技術では、通話レベル検出装置が相手の声以外の音を検出しても、警告表示器が報知を行ってしまい、使用者は、相手の声が検出されたのか、相手の声以外の音が検出されたのかを警告表示器による報知だけでは区別することができなくなってしまうという問題があった。
【０００６】
一方、特許文献２に記載のスピーカ付き電話機は、使用者がハンドセットを置き台に置くと、相手の声を所定時間モニタし、相手が声を出すと、自装置のスピーカから相手の声を出力するようにしている。しかしながら、特許文献２に記載の技術では、使用者がハンドセットを置き台に置いてから所定時間モニタすることで、相手の会話が続いているか否かを使用者が判断できるようにしているので、使用者は、ハンドセットを置き台に置いてから所定時間が経過するまで通話の終了を待たなければならなくなってしまうという問題があった。すなわち、ハンドセットを置き台に置いてから所定時間が経過するまでは、次の通話に移行することができないという問題があった。特に、複数の患者により使用されるナースコール子機からの呼び出しを一台のナースコール親機のハンドセットで応答するようなナースコールシステムでは、迅速に次の通話に移行する必要があった。
【０００７】
ところで、相手の声をモニタするという特許文献２に記載の技術を特許文献１に記載の技術に適用すると、ハンドセットタッチセンサがオンフック操作中であることを検出した場合に、通話レベル検出装置が相手の音声を検出したときに、電話装置のスピーカにて相手の声を出力できるようにすることが可能となる。これにより、電話装置のスピーカから出力された音声を聞いた使用者は、電話装置のスピーカから出力された音声が相手の声であるのか、相手の声以外の音であるのかを容易に区別することができるようになる。
【０００８】
しかしながら、特許文献１に記載の技術では、オンフックの操作の有無をハンドセットによる耳（すなわち人体）への接触の有無により検出しているので、使用者がハンドセットを耳から離しただけで、オンフックの操作が検出されてしまい、電話装置のスピーカから相手の声が誤って出力されてしまうという問題があった。ここで、使用者がハンドセットを耳から離す状況には、以下のようなものがある。例えば、相手の声が大きい場合に、使用者自身の耳への負担を軽減させたり声を聞き取り易くしたりするために、自身の耳とハンドセットのスピーカとの距離を離して、相手の声の聞こえ具合を調整する状況がある。また、ハンドセットが耳に当たることにより生じる耳の痛みを回避するために、自身の耳とハンドセットとの距離を離して、自身の耳を保護する状況がある。
【先行技術文献】
【特許文献】
【０００９】
【特許文献１】特開２０００−１１５３７０号公報
【特許文献２】特開平５−２１９１４９号公報
【発明の概要】
【発明が解決しようとする課題】
【００１０】
本発明は、このような問題を解決するために成されたものであり、使用者が電話を切ろうとしていることを正確に検出しながら、使用者が電話を切ろうとしている際に、相手が話を続けていることを使用者に正確に知らせることができるようにするとともに、使用者が通話路を切断しようとした時点で通話路を切断することができるようにすることを目的とする。
【課題を解決するための手段】
【００１１】
上述した課題を解決するために、本発明の電話装置は、ハンドセットと置き台との距離を検出する距離センサとハンドセットが置き台に置かれたことを検出するオンフック検出装置とを備え、距離センサによって検出された距離が所定の距離以下となった場合に、ハンドセットに設けたスピーカから出力される相手の電話装置からの音量を上げるようにし、オンフック検出装置がオンフックを検出した場合に、通話路を切断するようにしている。
【００１２】
また、本発明の他の態様では、置き台の近傍に本体用スピーカをさらに設け、距離センサによって検出された距離が所定の距離以下となった場合に、本体用スピーカから相手の電話装置からの音声を出力するようにしている。
【発明の効果】
【００１３】
上記のように構成した本発明によれば、距離センサによって検出された距離が所定の距離以下となった場合には、使用者がハンドセットを本体の置き台に置こうとしたものであると判断されて、ハンドセットに設けたスピーカが出力している相手の電話装置から入力した音声の音量が上げられる。これにより、オンフックの操作をハンドセットによる耳への接触の有無により検出しなくなるので、使用者が電話を切ろうとしていることを正確に検出することができる。また、使用者がハンドセットを本体の置き台に置こうとすると、相手の電話装置から入力した音声が音量を上げた状態でハンドセットに設けたスピーカから出力されるようになるので、使用者が電話を切ろうとしている際に、相手が話を続けていることを使用者に正確に知らせることができる。また、オンフック検出装置がオンフックを検出した時点で通話路が切断されるので、使用者が通話路を切断しようとした時点で通話路を切断することができる。
【００１４】
また、本発明の他の態様によれば、距離センサによって検出された距離が所定の距離以下となった場合には、相手の電話装置から入力した音声が置き台の近傍に設けた本体用スピーカから出力される。これにより、使用者がハンドセットを本体の置き台に置こうとすると、相手の電話装置から入力した音声が置き台の近傍に設けた本体用スピーカから出力されるようになるので、使用者が電話を切ろうとしている際に、相手が話を続けていることを使用者に正確に知らせることができる。
【図面の簡単な説明】
【００１５】
【図１】本実施形態による電話装置の構成例を示すブロック図である。
【図２】本実施形態による電話装置の外観例を示す図である。
【図３】本実施形態による電話装置のハンドセットおよび本体の状態例を示す図である。
【発明を実施するための形態】
【００１６】
以下、本発明の一実施形態を図面に基づいて説明する。本実施形態による電話装置の構成例を示すブロック図を図１に示す。同図に示すように、本実施形態による電話装置は、ハンドセット１、本体１０を備えて構成されている。
【００１７】
図１において、ハンドセット１は、使用者が他の電話装置を使用している相手からの呼び出しに応答したり、使用者が他の電話装置を呼び出したり、他の電話装置を使用している相手と会話したりする際に、使用者が手に取って使用するものである。ここで、ハンドセット１は、伝送線を介して本体１０に接続されている。また、ハンドセット１は、ハンドセット用制御部２、マイク３、スピーカ４、ハンドセット用インターフェース（以下、Ｉ／Ｆとする）部５を備えて構成されている。
【００１８】
本体１０は、他の電話装置との間で通話路を形成した場合に、他の電話装置から音声信号を入力してハンドセット１へ出力したり、ハンドセット１から音声信号を入力して他の電話装置へ出力したりするためのものである。また、本体１０は、制御部（特許請求の範囲の制御装置に該当する）１１、インターフェース（以下、Ｉ／Ｆとする）部１２、本体用スピーカ１３、距離センサ１４、オンフック検出部（特許請求の範囲のオンフック検出装置）１５を備えて構成されている。
【００１９】
図２は、本実施形態による電話装置の外観例を示す図である。同図に示すように、ハンドセット１は、伝送線により本体１０に接続されており、伝送線側の第一の凸部１ａにマイク３を内蔵し、反対側の第二の凸部１ｂにスピーカ４を内蔵している。本体１０には、ハンドセット１を置くための置き台１６が形成されており、置き台１６には、第一の凸部１ａを収容する第一の凹部１６ａおよび第二の凸部１ｂを収容する第二の凹部１６ｂが形成されている。これにより、使用者はハンドセット１を不使用時に置き台１６に置くことが可能となる。また、置き台１６の第一の凹部１６ａと第二の凹部１６ｂとの間には、本体用スピーカ１３から出力された音声を外部へ放音するためのスピーカ孔１３ａが形成されている。
【００２０】
ハンドセット１のハンドセット用制御部２は、ＣＰＵ（Ｃｅｎｔｒａｌ  Ｐｒｏｃｅｓｓｉｎｇ  Ｕｎｉｔ）などにより構成されており、ハンドセット１の各構成要素を後述するように制御する。マイク３は、他の電話装置との間で通話路が形成されている場合に、ハンドセット１を使用している使用者の声を含むハンドセット１の周囲の音声を入力するためのものである。ここで、マイク３の構造やマイク３による音声の入力方法は、周知の技術を用いる。また、マイク３は、ハンドセット１の周囲の音声を入力すると、入力した音声を音声信号に変換してハンドセット用制御部２へ出力する。
【００２１】
スピーカ４は、他の電話装置との間で通話路が形成されている場合に、他の電話装置から入力した音声を出力するためのものである。ここで、スピーカ４の構造やスピーカ４による音声の出力方法は、周知の技術を用いる。また、スピーカ４の音量は、ハンドセット用制御部２により制御されている。また、スピーカ４は音声信号を入力すると、入力した音声信号を音声に変換して出力する。また、初期状態におけるスピーカ４の音量は、使用者がハンドセット１の第二の凸部１ｂを耳に近づけている状態で、音声が適度に聞こえる程度のものである。
【００２２】
ハンドセット用Ｉ／Ｆ部５は、伝送線を介してハンドセット１に本体１０を接続している。また、ハンドセット用Ｉ／Ｆ部５は、本体１０から出力された音声信号および音量大信号を入力する。また、ハンドセット用Ｉ／Ｆ部５は、本体１０から入力した音声信号をハンドセット用制御部２へ出力する。また、他の電話装置との間で通話路が形成されている状態で、ハンドセット用Ｉ／Ｆ部５は、ハンドセット用制御部２がマイク３から入力した音声信号を本体１０へ出力する。ここで、音量大信号とは、スピーカ４の音量を上げるための信号である。
【００２３】
ハンドセット用Ｉ／Ｆ部５が本体１０から出力された音量大信号を入力した場合に、ハンドセット用制御部２はスピーカ４から出力される音声の音量を上げる。また、他の電話装置の間で形成されていた通話路が切断されると、ハンドセット用制御部２は、スピーカ４の音量を初期状態に戻す。
【００２４】
制御部１１は、ＣＰＵなどにより構成されており、本体１０の各構成要素を後述するように制御する。Ｉ／Ｆ部１２は、伝送線を介して本体１０にハンドセット１を接続している。また、他の伝送線を介して他の電話装置を接続している。また、Ｉ／Ｆ部１２は、他の電話装置との間で通話路が形成されている状態で、ハンドセット１から出力された音声信号を入力するとともに、他の電話装置から出力された音声信号を入力する。また、他の電話装置との間で通話路が形成されている状態で、Ｉ／Ｆ部１２は、ハンドセット１から入力した音声信号を他の電話装置へ出力するとともに、他の電話装置から入力した音声信号をハンドセット１へ出力する。また、他の電話装置との間で通話路が形成されている状態で、Ｉ／Ｆ部１２は、後述の処理にて生成した音量大信号をハンドセット１へ出力する。
【００２５】
本体用スピーカ１３は、他の電話装置から呼び出しがあったことを使用者に知らせるための音声（例えば、ブザーなど）を出力する。他の電話装置から呼び出しを受けた場合に、制御部１１は、本体用スピーカ１３を鳴動させる。ここで、本体用スピーカ１３は、本体１０のスピーカ孔１３ａの近傍に内蔵されている。
【００２６】
距離センサ１４は、例えば、赤外線センサなどにより構成されており、ハンドセット１と置き台１６との距離Ｄを検出するためのものである。また、図３（ａ）に示すように、距離センサ１４は置き台１６の第二の凹部１６ｂに内蔵されている。また、距離センサ１４は、ハンドセット１と置き台１６との距離Ｄを検出することができるように、置き台１６の前方に赤外線を放射し、ハンドセット１の第二の凸部１ｂで反射した赤外線を受光して、赤外線の受光量の変化の度合いによりハンドセット１と置き台１６との距離Ｄを検出する。
【００２７】
制御部１１は、距離センサ１４が検出したハンドセット１と置き台１６との距離Ｄと予め設定されている所定の距離ｄとを比較して、ハンドセット１と置き台１６との距離が所定の距離ｄ以下になった場合に、音量大信号を生成してＩ／Ｆ部１２へ出力する。Ｉ／Ｆ部１２は、入力した音量大信号をハンドセット１へ出力する。ここで、所定の距離とは、使用者が電話を切ろうとした際のハンドセット１と置き台１６との距離である。
【００２８】
オンフック検出部１５は、例えば、フックスイッチなどにより構成されており、ハンドセット１が置き台１６に置かれたことを検出するためのものである。ここで、図３（ａ）に示すように、オンフック検出部１５は、ハンドセット１が置き台１６に置かれた場合に、ハンドセット１の重みにより押されるように、その一部が置き台１６の第二の凹部１６ｂから露出している。また、常態において、ハンドセット１が置き台１６に置かれると、オンフック検出部１５は、置き台１６に置かれたハンドセット１の重みにより押されてオンフックの状態になる。また、ハンドセット１を置き台１６から取り上げると、オンフック検出部１５は、ハンドセット１の重みにより押されていた状態が元の状態に戻ってオフフックの状態になる。
【００２９】
オンフック検出部１５は、ハンドセット１の重みにより押されてオンフックの状態になると、オンフック信号を生成して制御部１１へ出力する。また、オンフック検出部１５は、ハンドセット１の重みにより押されていた状態が元の状態に戻ってオフフックの状態になると、オフフック信号を生成して制御部１１へ出力する。
【００３０】
ここで、制御部１１は、以下の方法により他の電話装置との間で通話路を形成する。まず他の電話装置から呼び出されると、制御部１１は、本体用スピーカ１３を鳴動させる。鳴動を把握した使用者が本体１０の置き台１６に置かれていたハンドセット１を取り上げると、オンフック検出部１５がオフフック信号を生成して制御部１１へ出力する。オフフック信号を入力した制御部１１は、他の電話装置との間で通話路を形成する。また、他の方法では、使用者が他の電話装置を呼び出すために、本体１０の置き台１６に置かれていたハンドセット１を取り上げると、オンフック検出部１５がオフフック信号を生成して制御部１１へ出力する。その状態で、使用者が呼び出しを行うための操作（例えば、他の電話装置の電話番号をダイヤルすることなど）を行う。すると、制御部１１は、他の電話装置を呼び出す。そして、他の電話装置が応答すると、制御部１１は、他の電話装置との間で通話路を形成する。
【００３１】
上述した処理により、他の電話装置との間で通話路が形成された状態になると、制御部１１は、オンフック検出部１５からオンフック信号を入力したか否かを判定する。オンフック検出部１５からオンフック信号を入力したと制御部１１にて判断した場合に、制御部１１は、他の電話装置との間で形成されていた通話路を切断する。
【００３２】
例えば、使用者がハンドセット１を自身の耳に当てている状態では、距離センサ１４から放射された赤外線は置き台１６の前方に検出物体が無いので反射しないため、赤外線の受光量がほとんど変化しない。そのため、距離センサ１４は、ハンドセット１と置き台１６との距離ｄを算出することができない。また、図３（ａ）に示すように、使用者がハンドセット１を置き台１６に置こうしてハンドセット１を置き台１６に近づけた状態では、距離センサ１４から放射された赤外線はハンドセット１で反射するため、赤外線の受光量が変化する。距離センサ１４は、赤外線の受光量の変化の度合いにより、ハンドセット１と置き台１６との距離ｄ１を検出する。この状態において、ハンドセット１と置き台１６との距離ｄ１は所定の距離ｄ以下ではないため、制御部１１は音量大信号を生成しない。
【００３３】
その後、図３（ｂ）に示すように、使用者がハンドセット１を移動させて置き台１６に近づけた状態では、距離センサ１４から放射された赤外線はハンドセット１で反射するため、赤外線の受光量がさらに変化する。距離センサ１４は、赤外線の受光量の変化の度合いにより、ハンドセット１と置き台１６との距離ｄ２を検出する。この状態において、ハンドセット１と置き台１６との距離ｄ２は、所定の距離ｄ以下になるため、制御部１１は音量大信号を生成する。また、Ｉ／Ｆ部１２は、制御部１１にて生成した音量大信号をハンドセット１へ出力する。
【００３４】
ハンドセット１のハンドセット用Ｉ／Ｆ部５が本体１０から出力された音量大信号を入力すると、ハンドセット用制御部２はスピーカ４から出力される音声の音量を上げる。この状態において、ハンドセット用Ｉ／Ｆ部５が本体１０から出力された音声信号を入力すると、ハンドセット用制御部２はハンドセット用Ｉ／Ｆ部５から音声信号を入力し、入力した音声信号をスピーカ４へ出力する。そして、スピーカ４は、ハンドセット用制御部２が入力した音声信号を入力して音声に変換し、変換した音声を大音量で出力する。
【００３５】
その後、図３（ｃ）に示すように、使用者がハンドセット１を置き台１６に置いた状態では、ハンドセット１と置き台１６との距離ｄ３は所定の距離ｄ以下のままとなる。また、置き台１６に置かれたハンドセット１の重みによりオンフック検出部１５が押され、オンフック検出部１５により生成されたオンフック信号を入力した制御部１１は、他の電話装置との間で形成されていた通話路を切断する。
【００３６】
以上、詳しく説明したように、本発明の電話装置では、ハンドセット１と置き台１６との距離を検出する距離センサ１４とハンドセット１が置き台１６に置かれたことを検出するオンフック検出部１５とを本体１０に設けている。距離センサ１４が検出したハンドセット１と置き台１６との距離Ｄが所定の距離ｄ以下になった場合に、ハンドセット用制御部２は、スピーカ４から出力される音声の音量を上げるようにしている。また、オンフック検出部１５からオンフック信号を入力したと制御部１１にて判断した場合に、制御部１１は、他の電話装置との間で形成されていた通話路を切断するようにしている。
【００３７】
これにより、距離センサ１４によって検出された距離が所定の距離以下となった場合には、使用者がハンドセット１を本体１０の置き台１６に置こうとしたものであると判断されて、ハンドセット１に設けたスピーカ４が出力している相手の電話装置から入力した音声の音量が上げられる。このことから、オンフックの操作をハンドセット１による耳への接触の有無により検出しなくなるので、使用者が電話を切ろうとしていることを正確に検出することができる。また、使用者がハンドセット１を本体１０の置き台１６に置こうとすると、相手の電話装置から入力した音声が音量を上げた状態でハンドセット１に設けたスピーカ４から出力されるようになるので、使用者が電話を切ろうとしている際に、相手が話を続けていると、相手の声が大音量で出力されるので、相手が話を続けていることを使用者に正確に知らせることができる。また、オンフック検出部１５がオンフックを検出した時点で通話路が切断されるので、使用者が通話路を切断しようとした時点で通話路を切断することができる。
【００３８】
なお、前述した実施形態では、距離センサ１４が検出したハンドセット１と置き台１６との距離Ｄが所定の距離ｄ以下となった場合に、ハンドセット１のスピーカ４は、他の電話装置から出力された音声を大音量で出力しているが、これに限定されない。例えば、距離センサ１４が検出したハンドセット１と置き台１６との距離Ｄが所定の距離ｄ以下となった場合に、他の電話装置から出力された音声を本体用スピーカ１３が出力するようにしても良い。これにより、使用者がハンドセット１を本体１０の置き台１６に置こうとすると、相手の電話装置から入力した音声が置き台１６の近傍に設けた本体用スピーカ１３から出力されるようになるので、使用者が電話を切ろうとしている際に、相手が話を続けていることを使用者に正確に知らせることができる。
【００３９】
また、前述した実施形態では、ハンドセット１は、伝送線を介して本体１０に接続されているが、これに限定されない。例えば、ハンドセット１が本体１０と無線通信するようにしても良い。
【００４０】
また、前述した実施形態では、距離センサ１４は、本体１０に設けられているが、これに限定されない。例えば、距離センサ１４をハンドセット１に設けるようにしても良い。
【００４１】
また、前述した実施形態では、距離センサ１４は、置き台１６の第二の凹部１６ｂに内蔵されているが、これに限定されない。例えば、距離センサ１４を置き台１６の第一の凹部１６ａに内蔵するようにしても良い。
【００４２】
また、前述した実施形態では、オンフック検出部１５は、本体１０に設けられているが、これに限定されない。例えば、オンフック検出部１５をハンドセット１に設けるようにしても良い。この場合、ハンドセット用制御部２がオンフック検出部１５からオンフック信号またはオフフック信号を入力したか否かを判定する処理を実行する。
【００４３】
前述した実施形態では、オンフック検出部１５は、一部が置き台１６の第二の凹部１６ｂから露出しているが、これに限定されない。例えば、オンフック検出部１５の一部が置き台１６の第一の凹部１６ａから露出するようにしても良い。
【００４４】
また、前述した実施形態では、距離センサ１４は、赤外線センサにより構成されているが、これに限定されない。例えば、ハンドセット１へ超音波を発信し、ハンドセット１の筐体から反射してくる超音波を受信して、この超音波の発信から受信までの時間を計測することで、ハンドセット１と置き台との距離を検出する超音波センサにより距離センサ１４が構成されるようにしても良い。
【００４５】
また、前述した実施形態では、オンフック検出部１５は、フックスイッチにより構成されているが、これに限定されない。例えば、オンフック検出部１５を赤外線センサにより構成するようにしても良い。この場合、距離センサ１４がオンフック検出部１５の機能を兼ねるようにしても良い。
【００４６】
その他、電話装置の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４７】
１    ハンドセット
１ａ    第一の凸部
１ｂ    第二の凸部
２    ハンドセット用制御部
３    マイク
４    スピーカ
５    ハンドセット用インターフェース（Ｉ／Ｆ）部
１０    本体
１１    制御部
１２    インターフェース（Ｉ／Ｆ）部
１３    本体用スピーカ
１３ａ    スピーカ孔
１４    距離センサ
１５    オンフック検出部
１６    置き台
１６ａ    第一の凹部
１６ｂ    第二の凹部
【図１】
2012075051.tif 000003
【図２】
2012075051.tif 000004
【図３】
2012075051.tif 000005